(57)【要約】【課題】    端末機の磁気カードリーダに差込んだ状態で、端末機の操作面の操作の障害となることなく、通常の磁気カードや磁気カード以外のＩＣカード、携帯電話等のモバイル機器等に記憶された情報が磁気カードリーダに入力できるような磁気カードリーダ用アダプタ装置を提供する。【解決手段】    磁気カードリーダの磁気読取ヘッドによって読み取り可能な磁気信号を発生する磁気信号発生部を有し、磁気信号発生部と磁気信号発生部から発生する磁気信号を制御する制御部とを同一基板上に配設するとともに、磁気信号発生部を磁気カードリーダに挿入した状態で該磁気カードリーダが形成された端末機の操作面の操作の障害とならない位置になるように、磁気信号発生部と制御部とが基板上で離間して配設されるようにする。【選択図】  図２
2005078580.tif 000002
【特許請求の範囲】
【請求項１】
磁気カードリーダの磁気読取ヘッドによって読み取り可能な磁気信号を発生する磁気信号発生部を有する磁気カードリーダ用アダプタ装置において、
前記磁気信号発生部と前記磁気信号発生部から発生する磁気信号を制御する制御部とを基板上に配設するとともに、
前記磁気信号発生部を前記磁気カードリーダに挿入した状態で該磁気カードリーダが形成された端末機の操作面の操作の障害とならない位置になるように、前記磁気信号発生部と前記制御部とが前記基板上で離間して配設される
ことを特徴とする磁気カードリーダ用アダプタ装置。
【請求項２】
前記磁気信号発生部は、
前記基板の一端に配設され、
前記基板は、
少なくとも前記磁気信号発生部と前記制御部との間が屈曲し、
前記磁気信号発生部を前記磁気カードリーダに挿入した状態で前記制御部を前記端末機の側部に配置させる
ことを特徴とする請求項１記載の磁気カードリーダ用アダプタ装置。
【請求項３】
前記制御部に隣接して外部装置からの情報を入力するインタフェース部
を更に具備し、
前記磁気信号発生部は、
前記インタフェース部から入力した情報に対応する磁気信号を発生する
ことを特徴とする請求項１記載の磁気カードリーダ用アダプタ装置。
【請求項４】
前記制御部に隣接して付属磁気カードリーダ
を更に具備し、
前記磁気信号発生部は、
前記付属磁気カードリーダによって取得した情報に対応する磁気信号を発生する
ことを特徴とする請求項１記載の磁気カードリーダ用アダプタ装置。
【請求項５】
前記磁気信号生発生部は、
前記磁気読取ヘッドの磁気検知方向に略直行し、前記磁気信号を発生するための所望の電流を流す少なくとも１本の導電部を有する平面状に形成された配線パターンを有する
ことを特徴とする請求項１記載の磁気カードリーダ用アダプタ装置。
【請求項６】
前記配線パターンは、
所定の間隔で配設され、それぞれ同一方向に電流を流すように配設された複数の導電部と、
前記複数の導電部に対して共通に電流を流す共通導電部と
を具備する
ことを特徴とする請求項５記載の磁気カードリーダ用アダプタ装置。
【請求項７】
前記配線パターンは、
所定の間隔で配設され、それぞれ交互に異なる方向に電流を流すように配設された複数の導電部を有するミアンダコイルからなる
ことを特徴とする請求項５記載の磁気カードリーダ用アダプタ装置。
【請求項８】
前記配線パターンは、
所定の間隔で配設され、それぞれ第１の方向に電流を流すように配設された複数の第１の導電部を有する第１の配線パターンと、
所定の間隔で配設され、それぞれ第１の方向と逆の第２の方向に電流を流すように配設された複数の第２の導電部を有する第２の配線パターンと、
前記第１の配線パターンおよび前記第２の配線パターンに対して共通に電流を流す共通導電部と
を具備することを特徴とする請求項５記載の磁気カードリーダ用アダプタ装置。
【請求項９】
前記配線パターンは、
所定の間隔で配設された複数の第１の導電部を有する第１の配線パターンと、
所定の間隔で配設された複数の第２の導電部を有する第２の配線パターンと、
前記第１の配線パターンの第１の導電部と前記第２の配線パターンの第２の導電部にそれぞれ流れる電流の方向が同一となるように前記第１の配線パターンおよび前記第２の配線パターンに対して共通に電流を流す共通導電部と
を具備することを特徴とする請求項５記載の磁気カードリーダ用アダプタ装置。
【請求項１０】
前記導電部の間隔は前記磁気読取ヘッドとの距離の略２倍の距離に設定されている
ことを特徴とする請求項６乃至９のいずれかに記載の磁気カードリーダ用アダプタ装置。
【請求項１１】
前記配線パターンは、
前記磁気カードリーダの複数の磁気読取ヘッドに対応してそれぞれ独立に配置されている
ことを特徴とする請求項５乃至１０のいずれかに記載の磁気カードリーダ用アダプタ装置。
【請求項１２】
前記配線パターンの裏側に磁性体の板を配置した
ことを特徴とする請求項５乃至１１のいずれかに記載の磁気カードリーダ用アダプタ装置。
【請求項１３】
前記磁気信号発生部は、
前記磁気カードリーダに挿入した状態で前記磁気カードリーダにより磁気カードのスキャンにより読み取られる情報に対応した情報が読み取られるように時間的変化する磁気信号を発生する
ことを特徴とする請求項１乃至１２のいずれかに記載の磁気カードリーダ用アダプタ装置。
【発明の詳細な説明】
【技術分野】
【０００１】
この発明は、磁気カードリーダ用アダプタ装置に関し、特に、磁気カードリーダ用アダプタ装置を端末機の磁気カードリーダに差込んだ状態で、端末機の操作面の操作の障害となることなく、通常の磁気カードや磁気カード以外のＩＣカード、携帯電話等のモバイル機器等に記憶された情報が磁気カードリーダに入力できるようにした磁気カードリーダ用アダプタ装置に関する。
【背景技術】
【０００２】
近年、情報を磁気カードに記録し、磁気カードに記録した情報を磁気カードリーダを介して読み取るという従来の磁気カードシステムに対して情報をＩＣカードや携帯電話等のモバイル機器に記憶させ、ＩＣカードやモバイル機器と情報の授受が可能な読取装置を介してＩＣカードやモバイル機器に記憶させた情報を読み取るというシステムが提案されている。
【０００３】
ＩＣカードやモバイル機器は、記憶できる情報量が磁気カードと比べて大きく、セキュリティーが優れているということから、磁気カードの代わりにＩＣカードやモバイル機器に情報を記憶させ、情報の授受を行うようなシステムへ移行しつつある。
【０００４】
例えば特許文献１に示されるように、クレジットカード契約者のＩＤを記憶し、パスワード等による本人認証機能を持つ携帯電話によってクレジットカード会社からその携帯電話に電話をかけることにより本人確認を行うようなクレジット決済サービス方法が提案されている。
【０００５】
上記提案のクレジット決済サービス方法は、顧客が購入商品の決済を行う場合に、顧客の携帯電話をクレジット取引端末に接続することにより、クレジットカード会社のホストコンピュータシステムから顧客の携帯電話に本人確認の電話をかけて本人確認するようにしたクレジット決済サービス方法である。
【特許文献１】特開２００３−０３０５５９号公報
【発明の開示】
【発明が解決しようとする課題】
【０００６】
しかしながら、従来の磁気カードを用いた決済サービスシステムは広く普及されており、ＩＣカードや携帯電話等のモバイル機器に記憶された情報が既存の磁気カードを用いた決済サービスシステムで決済できるような装置の開発が望まれている。
【０００７】
そこで、既存の磁気カードを用いた決済サービスシステムの磁気カードリーダでＩＣカードや携帯電話等のモバイル機器に記憶した情報が読み取れるような磁気カードリーダ用アダプタ装置が提案されている。
【０００８】
この提案の磁気カードリーダ用アダプタ装置は、通常の磁気カードと略同様な大きさと形状の擬似カード状に成形されており、磁気カードリーダへ差込んだ状態で使用した場合には、磁気カードリーダ用アダプタ装置の出張り部分が磁気カードリーダを有する端末機の操作面の操作の障害となる場合がある。
【０００９】
また、通常の磁気カードを用いて決済する場合には、磁気カードリーダ用アダプタ装置を磁気カードリーダから抜き出した後に、磁気カードを磁気カードリーダへ差込み、通常の操作を行う必要があるので、磁気カードリーダ用アダプタ装置を抜き差しするという操作の煩雑さがある。
【００１０】
そこで、この発明は、端末機の磁気カードリーダに差込んだ状態で、磁気カードリーダを有する端末機の操作面の操作の障害となることなく、通常の磁気カードや磁気カード以外のＩＣカード、携帯電話等のモバイル機器等に記憶された情報が入力できるようにした磁気カードリーダ用アダプタ装置を提供することを目的とする。
【課題を解決するための手段】
【００１１】
上記目的を達成するため、請求項１の発明は、磁気カードリーダの磁気読取ヘッドによって読み取り可能な磁気信号を発生する磁気信号発生部を有する磁気カードリーダ用アダプタ装置において、前記磁気信号発生部と前記磁気信号発生部から発生する磁気信号を制御する制御部とを基板上に配設するとともに、前記磁気信号発生部を前記磁気カードリーダに挿入した状態で該磁気カードリーダが形成された端末機の操作面の操作の障害とならない位置になるように、前記磁気信号発生部と前記制御部とが前記基板上で離間して配設されることを特徴とする。
【００１２】
また、請求項２の発明は、請求項１の発明において、前記磁気信号発生部は、前記基板の一端に配設され、前記基板は、少なくとも前記磁気信号発生部と前記制御部との間が屈曲し、前記磁気信号発生部を前記磁気カードリーダに挿入した状態で前記制御部を前記端末機の側部に配置させることを特徴とする。
【００１３】
また、請求項３の発明は、請求項１の発明において、前記制御部に隣接して外部装置からの情報を入力するインタフェース部を更に具備し、前記磁気信号発生部は、前記インタフェース部から入力した情報に対応する磁気信号を発生することを特徴とする。
【００１４】
また、請求項４の発明は、請求項１の発明において、前記制御部に隣接して付属磁気カードリーダを更に具備し、前記磁気信号発生部は、前記付属磁気カードリーダによって取得した情報に対応する磁気信号を発生することを特徴とする。
【００１５】
また、請求項５の発明は、請求項１の発明において、前記磁気信号生発生部は、前記磁気読取ヘッドの磁気検知方向に略直行し、前記磁気信号を発生するための所望の電流を流す少なくとも１本の導電部を有する平面状に形成された配線パターンを有することを特徴とする。
【００１６】
また、請求項６の発明は、請求項５の発明において、前記配線パターンは、所定の間隔で配設され、それぞれ同一方向に電流を流すように配設された複数の導電部と、前記複数の導電部に対して共通に電流を流す共通導電部とを具備することを特徴とする。
【００１７】
また、請求項７の発明は、請求項５の発明において、前記配線パターンは、所定の間隔で配設され、それぞれ交互に異なる方向に電流を流すように配設された複数の導電部を有するミアンダコイルからなることを特徴とする。
【００１８】
また、請求項８の発明は、請求項５の発明において、前記配線パターンは、所定の間隔で配設され、それぞれ第１の方向に電流を流すように配設された複数の第１の導電部を有する第１の配線パターンと、所定の間隔で配設され、それぞれ第１の方向と逆の第２の方向に電流を流すように配設された複数の第２の導電部を有する第２の配線パターンと、前記第１の配線パターンおよび前記第２の配線パターンに対して共通に電流を流す共通導電部とを具備することを特徴とする。
【００１９】
また、請求項９の発明は、請求項５の発明において、前記配線パターンは、所定の間隔で配設された複数の第１の導電部を有する第１の配線パターンと、所定の間隔で配設された複数の第２の導電部を有する第２の配線パターンと、前記第１の配線パターンの第１の導電部と前記第２の配線パターンの第２の導電部にそれぞれ流れる電流の方向が同一となるように前記第１の配線パターンおよび前記第２の配線パターンに対して共通に電流を流す共通導電部とを具備することを特徴とする。
【００２０】
また、請求項１０の発明は、請求項６乃至９のいずれかの発明において、前記導電部の間隔は前記磁気読取ヘッドとの距離の略２倍の距離に設定されていることを特徴とする。
【００２１】
また、請求項１１の発明は、請求項５乃至１０のいずれかの発明において、前記配線パターンは、前記磁気カードリーダの複数の磁気読取ヘッドに対応してそれぞれ独立に配置されていることを特徴とする。
【００２２】
また、請求項１２の発明は、請求項５乃至１１のいずれかの発明において、前記配線パターンの裏側に磁性体の板を配置したことを特徴とする。
【００２３】
また、請求項１３の発明は、請求項１乃至１２のいずれかの発明において、前記磁気信号発生部は、前記磁気カードリーダに挿入した状態で前記磁気カードリーダにより磁気カードのスキャンにより読み取られる情報に対応した情報が読み取られるように時間的変化する磁気信号を発生することを特徴とする。
【発明の効果】
【００２４】
この発明によれば、磁気カードリーダの磁気読取ヘッドによって読み取り可能な磁気信号を発生する磁気信号発生部を有し、磁気信号発生部と磁気信号発生部から発生する磁気信号を制御する制御部とを基板上に配設するとともに、磁気信号発生部を磁気カードリーダに挿入した状態で該磁気カードリーダが形成された端末機の操作面の操作の障害とならない位置になるように、磁気信号発生部と制御部とが基板上で離間して配設されるように構成したので、端末機の磁気カードリーダに差込んだ状態で、端末機の操作面の操作の障害となることなく、通常の磁気カードや磁気カード以外のＩＣカード、携帯電話等のモバイル機器等に記憶された情報が磁気カードリーダに入力できるという効果を奏する。
【発明を実施するための最良の形態】
【００２５】
この発明に係わる磁気カードリーダ用アダプタ装置は、既存の磁気カードリーダに差込んだ状態で、磁気カードリーダが形成された端末機の操作面の操作の障害となることなく、通常の磁気カードや磁気カード以外のＩＣカード、携帯電話等のモバイル機器に記憶された情報が既存の磁気カードリーダに入力できるようにした磁気カードリーダ用アダプタ装置である。
【実施例１】
【００２６】
図１は、この発明に係わる磁気カードリーダ用アダプタ装置を用いた一実施例の要部の構成を示すブロック図である。
【００２７】
図１において、この発明に係わる磁気カードリーダ用アダプタ装置１は、既存のＣＡＴ（＝Credit Authorization Terminal:信用照会）端末３の磁気カード差込口３０へ通常の磁気カードの代わりに磁気カードリーダ用アダプタ装置１の一端に形成された磁気信号発生部を差込み、磁気カードリーダ用アダプタ装置１の他端に一体化されて接続された第２磁気カードリーダ２もしくは磁気カードリーダ用アダプタ装置１とケーブル接続された赤外線通信装置４を介して入力された情報に応じた磁気信号を生成してＣＡＴ端末３へ情報が入力できるように構成したものである。
【００２８】
この実施例における電子決済システム１００は、従来のＣＡＴ端末３を用いた電子決済システムにおいて、磁気カードリーダ用アダプタ装置１をＣＡＴ端末３の磁気カードリーダに差込んだ状態で、ＣＡＴ端末３の操作面の操作の障害とならないように磁気カードリーダ用アダプタ装置１の少なくとも一部を屈曲させ、通常の磁気カードと、磁気カード以外の情報入力媒体、例えば携帯電話６等に記憶された情報がＣＡＴ端末３に入力でき、電子決済が可能なように構成したものである。
【００２９】
従来の磁気カードを用いた電子決済システムは、利用客が購入した商品の代金を決済する場合には、利用客の銀行口座やカード番号情報等が記録された磁気カードをＣＡＴ端末３の磁気カード差込口３０へ所定の方向で差込み、差込んだ磁気カードを所定の方向へ所定の速度で移動させることで磁気カードに記録された情報の磁気信号がＣＡＴ端末３の磁気カードリーダによって検知され読み取られる。
【００３０】
読み取られた磁気カードの情報は、ＣＡＴ端末３とケーブル３５を介して接続された図示せぬ電子決済システムのサーバへ入力されて決済処理される。
【００３１】
磁気カードの表面部もしくは裏面部の所定位置には、磁性塗料を帯状に塗布させた帯（以下、「磁気トラック」という。）が形成されており、この磁気トラックに磁気ライタの磁気書込用ヘッドを介して所定の情報に応じた磁界を与えることにより、情報に応じた磁化パターンが磁気トラック上に生成され保磁されている。
【００３２】
このように記録された磁気カードの情報は、磁気カードの磁気トラックがＣＡＴ端末３の磁気カードリーダの図示せぬ磁気読取ヘッド上を所定の速度で通過することにより、磁気トラック上に保磁された磁界（磁気信号）を磁気読取ヘッドが検知し、検知した磁界のパターン（以下、「磁気信号パターン」という。）を磁気カードの情報として磁気カードリーダが読み取る。
【００３３】
電子決済システムに用いられる磁気カードには、磁気トラックが１つ形成された１トラック用磁気カードや、磁気トラックが複数形成された２または３トラック用磁気カードがあり、各磁気トラックには、例えば磁気カード固有のカード番号やカード所有者の銀行口座情報等が予め記録されている。
【００３４】
図１に示すように、この発明に係わる磁気カードリーダ用アダプタ装置１を用いた電子決済システム１００は、磁気カードリーダを有するＣＡＴ端末３と、少なくとも一部が屈曲した磁気カードリーダ用アダプタ装置１と、磁気カードリーダ用アダプタ装置１とＲＳ−２３２Ｃ等のケーブル５を介して接続された赤外線通信装置４と、赤外線通信装置４と赤外線を介して情報の送受信が可能な携帯電話６と、磁気カードリーダ用アダプタ装置１と一体化されて接続された第２磁気カードリーダ２とを備えており、磁気カードリーダ用アダプタ装置１の一端をＣＡＴ端末３の磁気カード差込口３０へ差込んだ状態で通常の磁気カードもしくは磁気カード以外の携帯電話等に記憶された情報をＣＡＴ端末３へ入力し電子決済する。
【００３５】
なお、磁気カードリーダ用アダプタ装置１は、既存の磁気カードリーダの磁気カード差込口へ抜き差し自在であり、図１に示すようなＣＡＴ端末３の磁気カード差込口３０の所定位置に差込んだ状態で使用するものとする。
【００３６】
図１に示した電子決済システム１００においては、利用客が従来の磁気カードを用いて電子決済する場合には、磁気カードリーダ用アダプタ装置１と一体化されて接続された第２磁気カードリーダ２へ磁気カードを差込み、差込んだ磁気カードを所定方向へ所定速度でスライドさせる通常の操作により、磁気カードに記録された情報が第２磁気カードリーダ２と磁気カードリーダ用アダプタ装置１を介してＣＡＴ端末３へ入力される。  
また、磁気カード以外の情報入力媒体である、例えば携帯電話６等を用いて電子決済する場合には、利用客が携帯電話６を赤外線通信装置４の受信部４０に近づけ、携帯電話６の所定操作を行うことにより、携帯電話６に内蔵された図示せぬＩＣチップに記憶された個人情報が赤外線を介して赤外線通信装置４へ入力され、ケーブル５および磁気カードリーダ用アダプタ装置１を介してＣＡＴ端末３へ入力される。  
第２磁気カードリーダ２および赤外線通信装置４を介してＣＡＴ端末３に入力された個人情報は、ＣＡＴ端末３とケーブル３５および図示せぬ通信網を介して電子決済システム１００の図示せぬサーバ等に入力され電子決済される。
【００３７】
電子決済システム１００の情報入力媒体である携帯電話６は、利用客の銀行口座や個人情報等（以下、「個人情報」という。）が記憶された図示せぬＩＣチップと、既存の電話通信機能とは別に数メートル以内の距離内を赤外線を介して情報授受の通信が可能な赤外線通信機能を備えており、携帯電話６の所定操作によりＩＣチップに記憶された個人情報が赤外線を介して送信できるように構成されている。
【００３８】
赤外線通信装置４は、数メートル以内の距離内を赤外線を介して情報の送受信が可能な通信装置であり、携帯電話６から赤外線を介して送信された個人情報が赤外線通信装置４に受信され入力されるように構成されている。
【００３９】
赤外線通信装置４に入力された個人情報は、赤外線通信装置４の図示せぬ記憶装置に記憶された変換テーブルＡによって磁気信号の情報に変換され、ＲＳ−２３２Ｃ等のケーブル５を介して磁気カードリーダ用アダプタ装置１へ入力される。
【００４０】
変換テーブルＡは、磁気カードリーダ用アダプタ装置１が携帯電話６から赤外線を介して入力された個人情報に対応した磁気信号が生成できるような変換データがテーブル化されて図示せぬ記憶装置に記憶管理されており、赤外線通信装置４から入力された個人情報が変換テーブルＡに基づいて磁気信号生成用のデータに変換される。
【００４１】
変換された磁気信号生成用のデータは、磁気カードリーダ用アダプタ装置１へ入力され、磁気カードリーダ用アダプタ装置１が入力された磁気信号生成用のデータに基づいて磁界（磁気信号）を生成する。
【００４２】
そして、磁気カードリーダ用アダプタ装置１によって生成された磁気信号は、ＣＡＴ端末３の磁気カードリーダによって検知され読み取られる。
【００４３】
ところで、この発明に係わる磁気カードリーダ用アダプタ装置１は、通常の磁気カードや磁気カード以外の情報入力媒体である携帯電話６等に記録された個人情報を第２磁気カードリーダ２もしくは赤外線通信装置４を介して取得し、取得した個人情報に応じた磁気信号を生成してＣＡＴ端末３の磁気カードリーダへ個人情報が入力できるように構成されている。
【００４４】
図２は、図１に示した磁気カードリーダ用アダプタ装置１の要部の構成を示すブロック図である。
【００４５】
図２（ａ）および（ｂ）は、磁気カードリーダ用アダプタ装置１の表面部（図２（ａ））および裏面部（図２（ｂ））の要部の平面図であり、図２（ｃ）は磁気カードリーダ用アダプタ装置１の要部の側面図である。
【００４６】
なお、図２に示した磁気カードリーダ用アダプタ装置１は、３トラック用磁気カードリーダを有するＣＡＴ端末３に対応するような磁気カードリーダ用アダプタ装置を想定して示したものである。
【００４７】
図２に示すように、磁気カードリーダ用アダプタ装置１は、ＲＳ−２３２Ｃ等のケーブル５を介して磁気カードリーダ用アダプタ装置１と赤外線通信装置４との間の情報を授受するインタフェース部１７と、赤外線通信装置４および第２磁気カードリーダ２から入力された個人情報に応じて第１磁気信号発生部１１、第２磁気信号発生部１２および第３磁気信号発生部１３に流す電流の方向を制御し、磁気カードリーダ用アダプタ装置１全体を統括制御する制御部１６と、制御部１６によって方向制御された電流が流れることにより、電流の流れる方向に応じた磁界が発生する第１磁気信号発生部１１、第２磁気信号発生部１２および第３磁気信号発生部１３を備えており、これらの各部が基板１０上に形成され、磁気カードリーダ用アダプタ装置１のインタフェース部１７と制御部１６の部分が第２磁気カードリーダ２と一体化されて接続されている。
【００４８】
図２（ｃ）に示すように、第１磁気信号発生部１１、第２磁気信号発生部１２および第３磁気信号発生部１３は、インタフェース部１７と制御部１６が配置された位置とは離間した位置に形成されてプラスチック製の平板状の中に合着されている。
【００４９】
この磁気カードリーダ用アダプタ装置１は、３トラック用磁気カードリーダを有するＣＡＴ端末３に対応するように、例えば、通常の磁気カードの第１磁気トラックに対応した第１磁気信号発生部１１、第２磁気トラックに対応した第２磁気信号発生部１２および第３磁気トラックに対応した第３磁気信号発生部１３を有しており、これらの各磁気信号発生部１１、１２および１３に電流が流れると磁界が発生する。
【００５０】
通常の磁気カードに記録された個人情報は、第２磁気カードリーダ２を介して磁気カードリーダ用アダプタ装置１の制御部１６へ入力され、携帯電話６に記憶された個人情報は、赤外線通信装置４と磁気カードリーダ用アダプタ装置１のインタフェース部１７を介して制御部１６へ入力される。
【００５１】
制御部１６は、第２磁気カードリーダ２および赤外線通信装置４から入力された個人情報に応じて第１磁気信号発生部１１、第２磁気信号発生部１２および第３磁気信号発生部１３へ流す電流の方向を制御し、第１磁気信号発生部１１、第２磁気信号発生部１２および第３磁気信号発生部１３にはそれぞれに流れる電流の方向に応じた磁界が発生する。
【００５２】
第１磁気信号発生部１１、第２磁気信号発生部１２および第３磁気信号発生部１３は、電流を流す少なくとも１本の導電部を有する平面状に形成された配線パターンから構成されており、第１磁気信号発生部１１、第２磁気信号発生部１２および第３磁気信号発生部１３の導電部の配線パターンに制御部１６によって個人情報に応じて方向制御された電流が流れることにより、個人情報に対応した磁界が第１磁気信号発生部１１、第２磁気信号発生部１２および第３磁気信号発生部１３に発生する。
【００５３】
制御部１６は、第１磁気信号発生部１１、第２磁気信号発生部１２および第３磁気信号発生部１３へ流す電流の方向をそれぞれ独立して制御できるので、各磁気信号発生部１１、１２および１３のそれぞれに同一の磁気信号を発生させることも可能であるし、それぞれに別々の磁気信号を発生させることも可能である。
【００５４】
図３（ａ）は、磁気カードリーダ用アダプタ装置１をＣＡＴ端末３の磁気カード差込口３０へ差込んだ状態を示す斜視図であり、図３（ｂ）は、磁気カードリーダ用アダプタ装置１をＣＡＴ端末３の磁気カード差込口３０へ差込んだ状態の磁気カードリーダ用アダプタ装置１と磁気カードリーダ用アダプタ装置１と一体化されて接続された第２磁気カードリーダ２の要部の側面を拡大して示した図である。
【００５５】
図３（ｂ）に示すように、磁気カードリーダ用アダプタ装置１の第１磁気信号発生部１１、第２磁気信号発生部１２および第３磁気信号発生部１３は、磁気カードリーダ用アダプタ装置１をＣＡＴ端末３の磁気カード差込口３０へ差込んだ状態で、ＣＡＴ端末３の操作面の操作の障害とならないように第１磁気信号発生部１１、第２磁気信号発生部１２および第３磁気信号発生部１３が形成された基板１０の一部を曲げて湾曲な形状とし、第１磁気信号発生部１１と第１磁気読取ヘッド３１、第２磁気信号発生部１２と第２磁気読取ヘッド３２および第３磁気信号発生部１３と第３磁気読取ヘッド３３とがそれぞれ対向するような位置に配置されて形成されている。
【００５６】
この磁気カードリーダ用アダプタ装置１を用いた電子決済システム１００においては、図３に示すように、利用客が通常の磁気カード８を用いて電子決済する場合には、磁気カードリーダ用アダプタ装置１と一体化されて接続された第２磁気カードリーダ２の磁気カード差込口２０へ磁気カード８を差込み、磁気カード８を所定方向へ所定速度でスライドさせる通常の操作を行うことにより、第２磁気カードリーダ２の第１磁気読取ヘッド２１、第２磁気読取ヘッド２２および第３磁気読取ヘッド２３が磁気カード８に記録された磁気信号を検知し、磁気カードリーダ用アダプタ装置１の制御部１６へ入力する。
【００５７】
また、磁気カード以外の情報入力媒体である携帯電話６等を用いて電子決済する場合には、利用客が携帯電話６を赤外線通信装置４の受信部４０に近づけ、携帯電話６の所定操作を行うことにより、携帯電話６に内蔵された図示せぬＩＣチップに記憶された個人情報が赤外線を介して赤外線通信装置４へ入力され、赤外線通信装置４からＲＳ−２３２Ｃのケーブル５および磁気カードリーダ用アダプタ装置１のインタフェース部１７を経て制御部１６へ入力される。
【００５８】
制御部１６は、第２磁気カードリーダ２の各磁気読取ヘッド２１、２２および２３から入力された磁気信号や赤外線通信装置４から入力された個人情報に応じて第１磁気信号発生部１１、第２磁気信号発生部１２および第３磁気信号発生部１３へ流す電流の方向を制御し、個人情報に対応した磁界（磁気信号）を第１磁気信号発生部１１、第２磁気信号発生部１２および第３磁気信号発生部１３に発生させる。
【００５９】
図４は、図２に示した磁気カードリーダ用アダプタ装置１の第１磁気信号発生部１１、第２磁気信号発生部１２および第３磁気信号発生部１３の配線パターンの一例を示す図である。
【００６０】
図４（ａ）は、配線パターンの形状を示す図であり、図４（ｂ）および図４（ｃ）は、図４（ａ）に示した配線パターンに流れる電流の方向に応じて発生する磁界を示す図である。
【００６１】
第１磁気信号発生部１１、第２磁気信号発生部１２および第３磁気信号発生部１３に形成された配線パターンは、エッチングや導電ペースト印刷、その他の方法によって基板１０上に形成し、その表面をカバー材で覆うように構成されている。
【００６２】
図４を参照しながら通常の磁気カードや携帯電話６からそれぞれ第２磁気カードリーダ２もしくは赤外線通信装置４を介して入力された個人情報に応じた磁界（磁気信号）が磁気カードリーダ用アダプタ装置１の各磁気信号発生部１１、１２および１３の各配線パターンに発生する方法について説明する。
【００６３】
なお、第１磁気信号発生部１１、第２磁気信号発生部１２および第３磁気信号発生部１３のそれぞれの配線パターンに個人情報に応じた磁界を発生させる方法は、各磁気信号発生部１１、１２および１３でそれぞれ同様な方法で発生させることができるので、説明の便宜上、制御部１６が入力された個人情報に応じた磁界を第１磁気信号発生部１１に発生させる方法を例として説明する。
【００６４】
磁気カードリーダ用アダプタ装置１の第１磁気信号発生部１１には、図４（ａ）に示すような配線パターン（以下、「配線パターンＡ」という。）４００（破線で囲まれた部分の形状パターン）が形成されており、所定方向の電流が配線パターンＡ４００に流れることにより、それぞれ同一方向に電流を流すように配設された複数の導電部Ａ１、Ａ２、Ａ３、・・・Ａｎと、複数の導電部Ａ１、Ａ２、Ａ３、・・・Ａｎに対して共通に電流を流す共通導電部ＡＣ１を接続した形状に形成されている。
【００６５】
各導電部Ａ１、Ａ２、Ａ３、・・・Ａｎのそれぞれの間隔ｄは、図３（ｂ）に示した第１磁気信号発生部１１とＣＡＴ端末３の第１磁気読取ヘッド３１との距離ｔの略２倍の距離を保って配置されている。
【００６６】
第２磁気信号発生部１２および第３磁気信号発生部１３に形成された各導電部のそれぞれの間隔についても前述と同様に、第２磁気信号発生部１２および第３磁気信号発生部１３とＣＡＴ端末３の磁気カードリーダの第２磁気読取ヘッド３２および第３磁気読取ヘッド３３との距離の略２倍の距離を保って配置されている。
【００６７】
このような間隔ｄで各導電部Ａ１、Ａ２、Ａ３、・・・Ａｎを配置することにより、各導電部に形成される磁界の強さを最大にすることができる。
【００６８】
前述の図３で説明したように、制御部１６は、制御部１６に入力された個人情報に応じて第１磁気信号発生部１１、第２磁気信号発生部１２および第３磁気信号発生部１３の各配線パターンＡ４００へ流す電流の方向を制御する。
【００６９】
例えば、図４（ｂ）に示すように、配線パターンＡ４００に順方向（矢印付実線４０１）の電流を流すと、配線パターンＡ４００の各導電部Ａ１、Ａ２、Ａ３、・・・Ａｎに流れる電流の向きは全て矢印付実線４０２の向きとなり、各導電部Ａ１、Ａ２、Ａ３、・・・Ａｎにはそれぞれ矢印付実線４０３の磁極の方向（以下、「ＳＮ極」という。）を示す磁界が発生する。
【００７０】
また、図４（ｃ）に示すように、配線パターンＡ４００に逆方向（矢印付実線４０４）の電流を流すと、配線パターンＡ４００の各導電部Ａ１、Ａ２、Ａ３、・・・Ａｎに流れる電流の向きは全て矢印付実線４０５の向きとなり、各導電部Ａ１、Ａ２、Ａ３、・・・Ａｎにはそれぞれ矢印付実線４０６の磁極の方向（以下、「ＮＳ極」という。）を示す磁界が発生する。
【００７１】
制御部１６に入力された個人情報のうちの例えば第１磁気信号発生部１１に発生させる磁気信号の個人情報が「１００１１」とすると、制御部１６は、入力された個人情報「１００１１」に基づいて次のような制御を行い、個人情報「１００１１」に対応した磁気信号（磁界）のパターンを第１磁気信号発生部１１の配線パターンＡ４００に発生させる。
【００７２】
まず、制御部１６は、入力された個人情報「１００１１」を「１」、「０」、「０」、「１」、「１」の順に分解し、分解した個人情報の「１」、「０」の情報に応じて、例えば、「１」の場合には配線パターンＡに発生した磁気信号が、所定の時間の間に「ＳＮ極」から「ＮＳ極」もしくは「ＮＳ極」から「ＳＮ極」へ反転するように制御し、「０」の場合には所定の時間の間に磁気信号が反転しないように制御する。
【００７３】
配線パターンＡ４００に流れる電流は、所定周波数に同期して順方向（図４（ｂ）、矢印付実線４０１）と逆方向（図４（ｃ）、矢印付実線４０４）とに交互に流れるように構成されており、配線パターンＡ４００には所定周波数の周期ｔ（ｔ１、ｔ２、ｔ３、ｔ４、ｔ５・・・）毎に順方向と逆方向の電流が流れて、図４（ｄ）に示すような磁気信号パターン４１０が発生する。
【００７４】
図４（ｄ）に示した磁気信号パターン４１０は、横軸ｔを所定周波数の各周期の時間ｔ（ｔ１、ｔ２、ｔ３、ｔ４、ｔ５、・・・）とし、縦軸を横軸ｔの各時間ｔ（ｔ１、ｔ２、ｔ３、ｔ４、ｔ５、・・・）におけるそれぞれの磁気信号（配線パターンＡ４００に発生した磁界の「ＳＮ極」もしくは「ＮＳ極」の極性）の値を示したものである。
【００７５】
図４（ｄ）に示すように、磁気信号パターン４１０は、時間ｔ（ｔ１、ｔ２、ｔ３、ｔ４、ｔ５・・・）毎に配線パターンＡへ流れる電流の向きが順方向から逆方向もしくは逆方向から順方向へ交互に変化するので、時間ｔが「０からｔ１」の間は「ＳＮ極」、「ｔ１からｔ２」の間は「ＮＳ極」、「ｔ２からｔ３」の間は「ＳＮ極」、「ｔ３からｔ４」の間は「ＮＳ極」、「ｔ４からｔ５」の間は「ＳＮ極」・・・というような磁気信号が配線パターンＡ４００に発生する。
【００７６】
この磁気信号パターン４１０の各磁気信号が所定時間の間に「ＳＮ極」から「ＮＳ極」もしくは「ＮＳ極」から「ＳＮ極」のいずれかへ反転した場合を「１」値、所定時間の間に磁気信号が反転しない場合を「０」値の情報とするようなＦ２Ｆ方式の制御方法に対応させてみると、磁気信号パターン４１０の時間ｔが「０からｔ１」の間は、磁気信号が「ＳＮ極」から「ＮＳ極」もしくは「ＮＳ極」から「ＳＮ極」のいずれかへ反転するような磁気信号が発生していないので「０」値という情報を示すこととなる。
【００７７】
また、時間ｔが「ｔ１からｔ２」の間は、磁気信号が「ＳＮ極」から「ＮＳ極」もしくは「ＮＳ極」から「ＳＮ極」のいずれかへ反転するような磁気信号が発生していないので「０」値という情報を示すこととなる。
【００７８】
同様に時間ｔが「ｔ２からｔ３」の間、「ｔ３からｔ４」の間、「ｔ４からｔ５」の間のそれぞれにおいても、磁気信号が「ＳＮ極」から「ＮＳ極」もしくは「ＮＳ極」から「ＳＮ極」のいずれかへ反転するような磁気信号が発生していないので、それぞれ「０」、「０」、「０」という各値の情報を示すこととなる。  
そこで、個人情報「１００１１」の値に対応する磁気信号パターンを発生させるために、制御部１６は、磁気信号パターン４１０の「０」、「０」、「０」、「０」、「０」の順の各値を「１」、「０」、「０」、「１」、「１」の順の各値へ変調するような制御を行う。
【００７９】
例えば、制御部１６は、磁気信号パターン４１０の時間ｔが「０からｔ１」の間と、「ｔ３からｔ４」の間および「ｔ４からｔ５」の間のそれぞれにおいて、配線パターンＡ４００に発生する磁気信号（磁界）が「ＳＮ極」から「ＮＳ極」もしくは「ＮＳ極」から「ＳＮ極」のいずれかへ反転するように配線パターンＡへ流れる電流の方向を順方向から逆方向もしくは逆方向から順方向へ方向制御する。
【００８０】
このように制御することによって、配線パターンＡ４００には、個人情報「１００１１」に対応した図４（ｅ）に示すような磁気信号パターン４２０が発生する。
【００８１】
すなわち、磁気信号パターン４２０によると、時間ｔが「０からｔ１」の間の磁気信号は、「０からｔ１」の所定時間の間に「ＳＮ極」から「ＮＳ極」へ反転しているので「１」値という情報を示している。
【００８２】
また、時間ｔが「ｔ１からｔ２」の間の磁気信号は、所定時間「ｔ１からｔ２」の間、「ＳＮ極」の状態なので「０」値という情報を示している。
【００８３】
同様に時間ｔが「ｔ２からｔ３」の間、「ｔ３からｔ４」の間、「ｔ４からｔ５」の間のそれぞれにおいて、各磁気信号は、それぞれ「０」値、「１」値、「１」値という情報を示している。
【００８４】
磁気カードリーダ用アダプタ装置１の第１磁気信号発生部１１の配線パターンＡ４００に発生した磁気信号パターン４２０は、ＣＡＴ端末３が有する磁気カードリーダの第１磁気読取ヘッド３１によって検知され、検知された磁気信号パターン４２０のうちの、所定時間の間に「ＳＮ極」から「ＮＳ極」もしくは「ＮＳ極」から「ＳＮ極」のいずれかへ反転した磁気信号を、例えば、磁気信号４２０の時間ｔが「０からｔ１」の間と、「ｔ３からｔ４」の間および「ｔ４からｔ５」の間をそれぞれ「１」値として読み取り、所定時間の間に磁気信号が反転しない磁気信号を、例えば、磁気信号４２０の時間ｔが「ｔ１からｔ２」の間と「ｔ２からｔ３」の間をそれぞれ「０」値の情報として読み取る。
【００８５】
このように、この発明に係わる磁気カードリーダ用アダプタ装置１は、通常の磁気カードや磁気カード以外の情報入力媒体である携帯電話等から個人情報を取得し、取得した個人情報に対応した時間的に変化する磁気信号パターンを生成するので、磁気カードもしくは磁気カード以外の情報入力媒体に記憶された個人情報をＣＡＴ端末等の有する既存の磁気カードリーダへ入力することができる。
【００８６】
なお、制御部１６は、入力された個人情報のうちの第２磁気信号発生部１２および第３磁気信号発生部１３に対応する個人情報に応じて各磁気信号発生部１２および１３に形成された各配線パターンＡ４００に流す電流の方向制御を行い、各磁気信号発生部１２および１３に個人情報に応じた磁界を発生させる。
【００８７】
また、制御部１６は、第１磁気信号発生部１１、第２磁気信号発生部１２および第３磁気信号発生部１３へ流す電流の方向をそれぞれ独立して制御できるので、それぞれに同一の磁気信号を発生させることも可能であるし、それぞれに別々の磁気信号を発生させることも可能である。
【実施例２】
【００８８】
実施例１で示した磁気カード用アダプタ装置１では、３トラック用磁気カードリーダを有するＣＡＴ端末３に対応して磁気信号を発生する第１磁気信号発生部１１、第２磁気信号発生部１２および第３磁気信号発生部１３の配線パターンを図４に示したような所定方向の電流が配線パターンに流れることにより、それぞれ同一方向に電流を流すように配設された複数の導電部Ａ１、Ａ２、Ａ３、・・・Ａｎと、複数の導電部Ａ１、Ａ２、Ａ３、・・・Ａｎに対して共通に電流を流す共通導電部ＡＣ１を接続した形状に形成された配線パターンＡ４００の例を示した。
【００８９】
ここでは、配線パターンＡ４００の形状とは他の形状の配線パターンを磁気カード用アダプタ装置１の第１磁気信号発生部１１、第２磁気信号発生部１２および第３磁気信号発生部１３に形成した場合の一例について説明する。
【００９０】
図５は、図４に示した配線パターンＡ４００の形状とは他の形状の配線パターンの一例を示す図である。
【００９１】
図５（ａ）は、複数の導電部を並列接続したブロックを複数形成し、複数形成されたブロックを直列接続した配線パターン（以下、「配線パターンＢ」という。）の形状を示す図であり、図５（ｂ）は、所定の間隔で配設され、それぞれ交互に異なる方向に電流を流すように配設された平面状の形成されたミアンダコイル（以下、「配線パターンＣ」という。）を示す図である。
【００９２】
図５（ｃ）は、図５（ａ）に示した配線パターンＢ５００に流れる電流の方向に応じて発生する磁界を示す図であり、図５（ｄ）は、図５（ｂ）に示した配線パターンＣ５０１に流れる電流の方向に応じて発生する磁界を示す図である。
【００９３】
なお、この実施例では、図２に示した磁気カードリーダ用アダプタ装置１の第１磁気信号発生部１１、第２磁気信号発生部１２および第３磁気信号発生部１３の配線パターンＡ４００を配線パターンＢ５００およびＣ５０１のそれぞれに置き換えた例を示したものである。
【００９４】
図５（ａ）に示すように、配線パターンＢ５００は、複数の導電部Ｂ１、Ｂ２、Ｂ３、Ｂ４が並列接続されたブロックＡ５０２と、ブロックＡ５０２と同様に複数の導電部Ｂ５、Ｂ６、Ｂ７、Ｂ８が並列接続されたブロックＢ５０３とを直列接続した形状に形成されている。
【００９５】
なお、ブロックＡ５０２およびブロックＢ５０３を構成する各導電部の数は任意であり、ブロックＡ５０２およびブロックＢ５０３のブロック数も任意である。
【００９６】
また、配線パターンＣ５０１は、一本の導電部を所定長さ毎に直角に蛇行させて図５（ｂ）に示すような複数の導電部Ｃ１、Ｃ２、Ｃ３・・・Ｃｎが直列に接続されたような形状に形成されている。
【００９７】
配線パターンＢ５００およびＣ５０１は、図４に示した配線パターンＡ４００と同様にエッチングや導電ペースト印刷、その他の方法によって基板上に形成し、その表面をカバー材で覆うように構成されている。
【００９８】
配線パターンＢ５００を磁気カードリーダ用アダプタ装置１の第１磁気信号発生部１１、第２磁気信号発生部１２および第３磁気信号発生部１３に形成した場合の制御部１６によって方向制御された電流が各磁気信号発生部１１、１２および１３に流れることによる配線パターンＢ５００に発生する磁界について説明する。
【００９９】
図５（ａ）に示すような配線パターンＢ５００が形成された各磁気信号発生部１１、１２および１３に対して図５（ｃ）に示すような矢印付実線５０４の向きの電流が流れると、ブロックＡ５０２の各導電部Ｂ１、Ｂ２、Ｂ３、Ｂ４に流れる電流の向き（矢印付実線５０５）とブロックＢ５０３の各導電部Ｂ５、Ｂ６、Ｂ７、Ｂ８に流れる電流の向き（矢印付実線５０６）とは互いに逆方向となり、ブロックＡ５０２に流れる電流が形成する磁界の方向（矢印付実線５０７）とブロックＢ５０３に流れる電流が形成する磁界の方向（矢印付実線５０８）が互いに逆向きとなる。
【０１００】
このような配線パターンＢ５００が形成された磁気カードリーダ用アダプタ装置の第１磁気信号発生部１１、第２磁気信号発生部１２および第３磁気信号発生部１３に対して個人情報に応じて所定方向に制御された電流が流れると、ＣＡＴ端末３の各磁気読取ヘッド３１、３２および３３が各磁気信号発生部１１、１２および１３の各配線パターンＢ５００のブロックＡ５０２の磁気信号を検知した場合と、ブロックＢ５０３の磁気信号を検知した場合とでは磁気信号が互いに反転した状態で検知される。
【０１０１】
また、配線パターンＣ５０１が形成された各磁気信号発生部１１、１２および１３に対して図５（ｄ）に示すような矢印付実線５０９の向きの電流が流れると、導電部Ｃ１に流れる電流の向き（矢印付実線５１０）と導電部Ｃ２に流れる電流の向き（矢印付実線５１１）とは互いに逆向きとなり、導電部Ｃ２に流れる電流の向き（矢印付実線５１１）と導電部Ｃ３に流れる電流の向きとは互いに逆向きとなる。
【０１０２】
このように各導電部Ｃ１、Ｃ２、Ｃ３・・・Ｃｎに流れる電流の向きが交互して互いに逆向きの電流が流れることとなるので、各導電部Ｃ１、Ｃ２、Ｃ３・・・Ｃｎに形成される磁界の方向は、図５（ｄ）に示すように、各導電部Ｃ１、Ｃ２、Ｃ３・・・Ｃｎに流れる電流の方向に対応して矢印付実線５１２の方向の磁界と、矢印付実線５１３の方向の磁界とが交互に発生する。
【０１０３】
このような配線パターンＣ５０１が形成された第１磁気信号発生部１１、第２磁気信号発生部１２および第３磁気信号発生部１３に対して個人情報に応じて所定方向に制御された電流が流れると、ＣＡＴ端末３の各磁気読取ヘッド３１、３２および３３が各磁気信号発生部１１、１２および１３の各配線パターンＣ５０１の各導電部のうちの互いに隣り合う導電部では磁気信号が互いに反転した状態で検知される。
【０１０４】
しかし、前述の説明の如く、ＣＡＴ端末３等が有する既存の磁気カードリーダは、各磁気読取ヘッド３１、３２および３３が検知した磁気信号が、例えば所定時間の間に反転した場合は「１」値、反転しない場合は「０」値として認識するような、いわゆるＦ２Ｆ方式で読み取るように構成されているので、ＣＡＴ端末３の各磁気読取ヘッド３１、３２および３３が各磁気信号発生部１１、１２および１３に形成された各配線パターンのいずれの導電部で発生した磁気信号を検知した場合においても、第１磁気信号発生部１１、第２磁気信号発生部１２および第３磁気信号発生部１３で発生した磁気信号に基づいて個人情報を特定することが可能である。
【０１０５】
なお、第１磁気信号発生部１１、第２磁気信号発生部１２および第３磁気信号発生部１３には種々の形状の配線パターンの適用が可能であり、図４および図５（ａ）、図５（ｂ）に示した各配線パターンの形状に限定されるものではない。
【実施例３】
【０１０６】
図６は、実施例１、２で示したような磁気カードリーダ用アダプタ装置１の第１磁気信号発生部１１、第２磁気信号発生部１２および第３磁気信号発生部１３の各配線パターンの裏側に磁性体の板を配置した例の磁気カードリーダ用アダプタ装置を示す図である。
【０１０７】
図６（ａ）および（ｂ）は、第１磁気信号発生部１１、第２磁気信号発生部１２および第３磁気信号発生部１３の各配線パターンの裏側に磁性体の板を配置した磁気カードリーダ用アダプタ装置７の表面部（図６（ａ））および裏面部（図６（ｂ））の要部の平面図であり、図６（ｃ）は、磁気カードリーダ用アダプタ装置７の要部の側面図である。
【０１０８】
図６に示すように、磁気カードリーダ用アダプタ装置７は、第１磁気信号発生部１１の配線パターンの裏側に磁性体の板１４を配置し、第２磁気信号発生部１２および第３磁気信号発生部１３の各配線パターンの裏側に磁性体の板１５を配置するように構成したものである。
【０１０９】
この磁性体の板１４および１５を第１磁気信号発生部１１、第２磁気信号発生部１２および第３磁気信号発生部１３の各配線パターンの裏側に配置することにより、磁性体の板１４および１５を配置しない場合と比べて各磁気信号発生部１１、１２および１３で発生した個人情報に応じた磁界の磁束密度をＣＡＴ端末３の各磁気読取ヘッド３１、３２および３３に対してより大きくした状態で入力することができる。
【０１１０】
この磁性体の板１４および１５の配置により、各磁気信号発生部１１、１２および１３で発生した個人情報に応じた磁界の磁束密度をＣＡＴ端末３の各磁気読取ヘッド３１、３２および３３に対してより大きくした状態で入力できるという効果の作用について図７を参照しながら簡単に説明する。
【０１１１】
図７（ａ）は、図２に示した磁気カードリーダ用アダプタ装置１の各磁気信号発生部１１、１２および１４にそれぞれ形成された各配線パターンの裏側に磁性体の板を配置しない場合の各配線パターンの導電部に流れる電流の方向に応じて形成された磁界を示す図であり、図７（ｂ）は、図６に示した磁気カードリーダ用アダプタ装置７の磁気信号発生部１１、１２および１３にそれぞれ形成された各配線パターンの裏側に磁性体の板１４および１５を配置した場合の各配線パターンの導電部に流れる電流の方向に応じて形成された磁界を示す図である。
【０１１２】
なお、図７（ａ）および（ｂ）に示された磁界７１０（図７（ａ））と磁界７２０（図７（ｂ））は、説明の便宜上、各配線パターンのうちの一つの導電部７００（図７（ａ））、７０１（図７（ｂ））に注目し、電流が紙面の表面から裏面の方向へ流れている場合を例として示してある。
【０１１３】
図７（ｂ）に示すように、磁気カード用アダプタ装置７の各磁気信号発生部１１、１２および１３にそれぞれ形成された各配線パターンの裏側に磁性体の板１４および１５が配置されることにより、導電部７０１に流れる電流によって発生する磁界７２０は、磁性体の板１４および１５を通過する部分の磁束密度が大きくなり、磁性体の板１４および１５が配置されていない導電部７００に流れる電流によって発生する磁界７１０と比べて全体的に扁平な磁界となる。
【０１１４】
図７（ａ）および（ｂ）に示すように、磁界７１０の任意の点Ｐ７１１における磁界ベクトル７１２のＣＡＴ端末３の各磁気読取ヘッド３１、３２および３３が検知する方向の磁界の大きさは、磁界ベクトル７１３の大きさで示される。
【０１１５】
また、磁界７２０の任意の点Ｐ７２１における磁界ベクトル７２２のＣＡＴ端末３の各磁気読取ヘッド３１、３２および３３が検知する方向の磁界の大きさは、磁界ベクトル７２３の大きさで示される。
【０１１６】
この磁界ベクトル７１３の大きさと磁界ベクトル７２３の大きさとを比較してみると、磁界ベクトル７２３のほうが磁界ベクトル７１３よりも大きいことが分かる。
【０１１７】
このことは、各磁気信号発生部１１、１２および１３にそれぞれ形成された各配線パターンの裏側に磁性体の板１４および１５が配置することにより、磁性体の板１４および１５を配置しない場合よりもＣＡＴ端末３の各磁気読取ヘッド３１、３２および３３が検知する方向に対してより磁界強度の大きな磁気信号を入力することが可能であることを示している。
【０１１８】
したがって、磁性体の板１４および１５を第１磁気信号発生部１１、第２磁気信号発生部１２および第３磁気信号発生部１３の各配線パターンの裏側に配置することにより、磁性体の板１４および１５を配置しない場合と比べて各磁気信号発生部１１、１２および１３で発生した個人情報に対応した磁界の磁束密度をＣＡＴ端末３の各磁気読取ヘッド３１、３２および３３に対してより大きくした状態で入力することが可能となる。
【０１１９】
この磁気カードリーダ用アダプタ装置７の構成と動作については、第１磁気信号発生部１１、第２磁気信号発生部１２および第３磁気信号発生部１３の各配線パターンの裏側に磁性体の板１４および１５をそれぞれ配置した他は、図２に示した磁気カードリーダ用アダプタ装置１の構成および動作と同様であるので、各部の機能や動作および第１磁気信号発生部１１、第２磁気信号発生部１２および第３磁気信号発生部１３に個人情報に対応した磁気信号を発生させる方法等の説明は、省略する。
【０１２０】
また、磁気カードリーダ用アダプタ装置７の各磁気信号発生部１１、１２および１３に形成される各配線パターンは、図４および図５に示したような配線パターンＡ４００、Ｂ５００、Ｃ５０１の各配線パターンが形成される。
【０１２１】
以上の各実施例では、制御部や磁気信号を発生する磁気信号発生部等の各部を基板上に形成し、磁気カードリーダ用アダプタ装置をＣＡＴ端末の磁気カードリーダに差込んだ状態で、ＣＡＴ端末の操作面の操作の障害とならない位置になるように磁気信号発生部と制御部とを離間して配設し、磁気信号発生部と制御部との間が少なくとも一部が屈曲した磁気カードリーダ用アダプタ装置の例を示した。
【０１２２】
磁気カードリーダ用アダプタ装置をＣＡＴ端末の磁気カードリーダに差込んだ状態で、ＣＡＴ端末の操作面の操作の障害とならないように磁気カードリーダ用アダプタ装置の磁気信号発生部と制御部とを離間して配設した形状は、種々の形状が可能であり、例えば図８から図１０に示すような形状の磁気カードリーダ用アダプタ装置の構成にしてもよい。
【０１２３】
図８（ａ）、（ｂ）、（ｃ）は、磁気カードリーダ用アダプタ装置をＣＡＴ端末３の磁気カード差込口３０へ差込んだ状態でＣＡＴ端末３の操作面の操作の障害とならないように磁気カードリーダ用アダプタ装置の少なくとも一部を屈曲させた形状を示す図であり、ＣＡＴ端末３と磁気カードリーダ用アダプタ装置と磁気カードリーダ用アダプタ装置と一体化して接続した第２磁気カードリーダ２の要部の側面を拡大して示した図である。
【０１２４】
図８（ａ）は、磁気カードリーダ用アダプタ装置を「コの字状」（黒く塗りつぶした部分の形状）に屈曲させた磁気カードリーダ用アダプタ装置５０を示す図であり、図８（ｂ）は、「Ｌ字状」（黒く塗りつぶした部分の形状）に屈曲させた磁気カードリーダ用アダプタ装置５１を示す図、図８（ｃ）は、「クランク状」（黒く塗りつぶした部分の形状）に屈曲させた磁気カードリーダ用アダプタ装置５２を示す図である。
【０１２５】
図８（ａ）、（ｂ）、（ｃ）に示した各磁気カードリーダ用アダプタ装置５０、５１および５２には、各実施例１、２および３に示したような第１、第２および第３の各磁気信号発生部と各配線パターンが形成され、各配線パターンの裏側には磁性体の板を有するようにそれぞれ構成されている。
【０１２６】
図９は、磁気カードリーダ用アダプタ装置をＣＡＴ端末の磁気カードリーダに差込んだ状態で、ＣＡＴ端末の操作面の操作の障害とならないように磁気カードリーダ用アダプタ装置の第２磁気カードリーダ２がＣＡＴ端末３の磁気カードのスライド方向の側部に配置可能なように構成した磁気カードリーダ用アダプタ装置５３を示す図である。
【０１２７】
図９（ａ）は、磁気カードリーダ用アダプタ装置５３をＣＡＴ端末３の磁気カード差込口３０へ差込んだ状態を示す斜視図であり、図９（ｂ）、（ｃ）は、磁気カードリーダ用アダプタ装置５３の表面部（図９（ｂ））および裏面部（図９（ｃ））の要部の側面図である。
【０１２８】
なお、図９に示した磁気カードリーダ用アダプタ装置５３は、３トラック用磁気カードリーダを有するＣＡＴ端末３に対応するような磁気カードリーダ用アダプタ装置を想定して示したものであり、磁気カードリーダ用アダプタ装置５３には、各実施例１、２および３に示したような第１、第２および第３の各磁気信号発生部と各配線パターンが形成され、各配線パターンの裏側には磁性体の板を有するようにそれぞれ構成されている。
【０１２９】
また、ＣＡＴ端末３の磁気カードのスライド方向とは逆方向の側部に磁気カードリーダ用アダプタ装置の第２磁気カードリーダ２が配置可能なように構成してもよい。
【０１３０】
更に、図１０に示すように「コの字状」（黒く塗りつぶした部分の形状）に屈曲させた磁気カードリーダ用アダプタ装置５４の構成にしてもよい。
【０１３１】
なお、図８から図１０に示した各磁気カードリーダ用アダプタ装置５０、５１、５２、５３、５４の第１磁気信号発生部、第２磁気信号発生部および第３磁気信号発生部は、ＣＡＴ端末３の第１磁気読取ヘッド３１、第２磁気読取ヘッド３２および第３磁気読取ヘッド３３にそれぞれ対向するような位置に配置されて形成されている。
【０１３２】
以上の各実施例では、３トラック用磁気カードリーダに対応した磁気カードリーダ用アダプタ装置の例を示したが、この発明に係わる磁気カードリーダ用アダプタ装置は、既存の磁気カードリーダに対応して１トラック用、２トラック用等の種々のトラック数と各トラックの磁気読取ヘッドが配置された位置と面に対応して磁気信号発生部を配置することが可能である。
【０１３３】
更に、各実施例では、第２磁気カードリーダが磁気カードリーダ用アダプタ装置と一体化されて接続された例を示したが、磁気カードリーダ用アダプタ装置だけの構成にしてもよく、磁気カードリーダ用アダプタ装置１へ情報を入力する赤外線通信装置の他に情報授受が可能な通信装置を用いてもよい。
【図面の簡単な説明】
【０１３４】
【図１】この発明に係わる磁気カードリーダ用アダプタ装置を用いた一実施例の要部の構成を示すブロック図である
【図２】図１に示した磁気カードリーダ用アダプタ装置１の要部の構成を示すブロック図である。
【図３】磁気カードリーダ用アダプタ装置１の磁気信号発生部をＣＡＴ端末３の磁気カード差込口３０へ差込んだ状態を示す斜視図および拡大側面図である。
【図４】図２に示した第１、第２および第３磁気信号発生部１３の配線パターンＡの一例および配線パターンＡに発生する磁界を示す図である。
【図５】配線パターンＡとは他の配線パターンを用いた実施例３および、この配線パターンに発生する磁界を示す図である。
【図６】第１、第２および第３磁気信号発生部１３の各配線パターンの裏側に磁性体の板を配置した実施例３の磁気カードリーダ用アダプタ装置を示す図である。
【図７】第１、第２および第３磁気信号発生部１３の各配線パターンの裏側に磁性体の板を配置した場合としない場合とで発生する磁界の相違を示す図である。
【図８】磁気カードリーダ用アダプタ装置の屈曲形状を示す図である。
【図９】第２磁気カードリーダがＣＡＴ端末の磁気カードをスライド方向の側部に配置可能なように構成した磁気カードリーダ用アダプタ装置の一例を示す図である。
【図１０】図９に示したような磁気カードリーダ用アダプタ装置を屈曲させた形状の一例を示す図である。
【符号の説明】
【０１３５】
１、７、５０、５１、５２、５３、５４  磁気カードリーダ用アダプタ装置
２      第２磁気カードリーダ
３      ＣＡＴ（＝Credit Authorization Terminal:信用照会）端末
４      赤外線通信装置  
５      ＲＳ２３２-Ｃ
６      携帯電話
８      磁気カード
１０    基板
１１    第１磁気信号発生部
１２    第２磁気信号発生部
１３    第３磁気信号発生部
１４、１５  磁性材板
１６    制御部（磁気カードリーダ用アダプタ装置）
１７    インタフェース部（磁気カードリーダ用アダプタ装置）
２０    磁気カード差込口（第２磁気カードリーダ）
２１    第１磁気読取ヘッド（第２磁気カードリーダ）
２２    第２磁気読取ヘッド（第２磁気カードリーダ）
２３    第３磁気読取ヘッド（第２磁気カードリーダ）
３０    磁気カード差込口（ＣＡＴ端末）
３１    第１磁気読取ヘッド（ＣＡＴ端末）
３２    第２磁気読取ヘッド（ＣＡＴ端末）
３３    第３磁気読取ヘッド（ＣＡＴ端末）
３５    ケーブル（ＣＡＴ端末）
４０    受信部（赤外線通信装置）
１００  電子決済システム
【図１】
2005078580.tif 000003
【図２】
2005078580.tif 000004
【図３】
2005078580.tif 000005
【図４】
2005078580.tif 000006
【図５】
2005078580.tif 000007
【図６】
2005078580.tif 000008
【図７】
2005078580.tif 000009
【図８】
2005078580.tif 000010
【図９】
2005078580.tif 000011
【図１０】
2005078580.tif 000012